【手続補正書】
【提出日】平成20年1月11日(2008.1.11)
【手続補正１】
【補正対象書類名】明細書
【補正対象項目名】特許請求の範囲
【補正方法】変更
【補正の内容】
【特許請求の範囲】
【請求項１】  Renilla mulleriルシフェラーゼ、GaussiaルシフェラーゼまたはPleuromammaルシフェラーゼをコードするヌクレオチドの配列を含み、該ヌクレオチドの配列が、
配列番号１７、配列番号１９または配列番号２８に示すヌクレオチドの配列；
配列番号１８、配列番号２０または配列番号２９に示すアミノ酸配列をコードするヌクレオチドの配列；および
配列番号１７、配列番号１９または配列番号２８に示すヌクレオチドの配列と高ストリンジェンシー下でハイブリダイズするヌクレオチドの配列からなる群から選択されるか；またはそれらと少なくとも８０％ヌクレオチド配列同一性を有する、Renilla mulleri、GaussiaまたはPleuromammaによりコードされるタンパク質である、単離核酸フラグメント。
【請求項２】  Gaussiaがprinceps種のメンバーである、請求項１記載の単離核酸フラグメント。
【請求項３】  核酸がＤＮＡである、請求項１記載の単離核酸フラグメント。
【請求項４】  核酸がＲＮＡである、請求項１記載の単離核酸フラグメント。
【請求項５】  配列番号１７、１９または２８のコード部分に示すヌクレオチド配列から選択される少なくとも１４連続配列を含む、核酸プローブまたはプライマー。
【請求項６】  配列番号１７、１９または２８のコード部分に示すヌクレオチド配列から選択される少なくとも１６連続ヌクレオチドを含む、請求項５記載の核酸プローブまたはプライマー。
【請求項７】  配列番号１７、１９または２８のコード部分に示すヌクレオチド配列から選択される少なくとも３０連続ヌクレオチドを含む、請求項５記載の核酸プローブまたはプライマー。
【請求項８】  請求項１記載の核酸フラグメントを含む、プラスミド。
【請求項９】  発現ベクターである、請求項８記載のプラスミド。
【請求項１０】  プロモーター領域；
Gaussia、PleuromammaまたはRenilla mulleriルシフェラーゼ；および
選択可能マーカー：
をコードするヌクレオチドの配列を含み、ルシフェラーゼをコードするヌクレオチドの配列はプロモーターと操作的にリンクし、それによりルシフェラーゼが発現される、請求項９記載のプラスミド。
【請求項１１】  緑色蛍光タンパク質(GFP)をコードするヌクレオチドの配列を更に含む、請求項９記載のプラスミド。
【請求項１２】  請求項９記載のプラスミドを含む、組換え宿主細胞。
【請求項１３】  細胞が細菌細胞、酵母細胞、真菌細胞、植物細胞、昆虫細胞および動物細胞からなる群から選択される、請求項１２記載の細胞。
【請求項１４】  請求項１２記載の組換え宿主細胞の生育を含み、ルシフェラーゼを細胞により発現させ、発現されたルシフェラーゼタンパク質を回収する、Gaussia、Renilla mulleriまたはPleuromammaルシフェラーゼタンパク質の製造法。
【請求項１５】  ヌクレオチドの配列が
配列番号１７、配列番号１９または配列番号２８に示すヌクレオチドの配列；
配列番号１８、配列番号２０または配列番号２９に示すアミノ酸配列をコードするヌクレオチドの配列；および
配列番号１７、配列番号１９または配列番号２８に示すヌクレオチドの配列と高ストリンジェンシー下でハイブリダイズするヌクレオチドの配列からなる群から選択されるか；またはそれらと少なくとも８０％ヌクレオチド配列同一性を有する、Renilla mulleri、GaussiaまたはPleuromammaによりコードされるタンパク質である、単離された実質的に純粋なGaussia、Renilla mulleriまたはPleuromammaルシフェラーゼタンパク質。
【請求項１６】  タンパク質が配列番号１８、２０または２９に示すアミノ酸の配列を有する、請求項１５記載の単離タンパク質。
【請求項１７】  製造品；および
組合わせを新規品目とする生物発光生成システムを含み、生物蛍光生成システムが請求項５記載の核酸によりコードされるルシフェラーゼを含む、組合わせ。
【請求項１８】  更にルシフェリンを含む、請求項１７記載の組合わせ。
【請求項１９】  更に緑色蛍光タンパク質(GFP)を含む、請求項１７記載の組合わせ。
【請求項２０】  GFPがRenilla GFPまたはPtilosarcus GFPである、請求項１９記載の組合わせ。
【請求項２１】  製造品が玩具、化粧品、噴水、パーソナル・ケア・アイテム、フェアリー・ダスト、飲料、ソフトドリンク、食物、織物製品、泡、風船、パーソナル・アイテム、磨歯剤、石鹸、ボディーペイント、泡ぶろ、インクおよび紙製品から選択される、請求項１７記載の組合わせ。
【請求項２２】  玩具の銃である、請求項２１記載の組合わせ。
【請求項２３】  食物である、請求項２１記載の組合わせ。
【請求項２４】  飲料である、請求項２１記載の組合わせ。
【請求項２５】  化粧品である、請求項２１記載の組合わせ。
【請求項２６】  製造品が水鉄砲、空気銃、フィンガーペイント、フット・バッグ、グリーティングカード、粘液性玩具、衣類、泡形成玩具、入浴剤、化粧品、ボディーローション、ゲル、ボディーパウダー、ボディークリーム、練り歯みがき、含嗽剤、石鹸、ボディーペイント、泡ぶろ、インク、包装紙、ゼラチン、アイシング、フロスティング、グリーティングカード、ビール、ワイン、シャンペン、ソフトドリンク、角氷、氷、ドライアイスおよび噴水から選択される、請求項１７記載の組合わせ。
【請求項２７】  玩具の銃である、請求項２６記載の組合わせ。
【請求項２８】  食物である、請求項２６記載の組合わせ。
【請求項２９】  飲料である、請求項２６記載の組合わせ。
【請求項３０】  化粧品である、請求項２６記載の組合わせ。
【請求項３１】  Renilla緑色蛍光タンパク質(GFP)またはPtilosarcus緑色蛍光タンパク質をコードするヌクレオチドの配列を含み、該ヌクレオチドの配列が、
配列番号１５、配列番号３０または配列番号３１に示すヌクレオチドの配列；
配列番号１６または配列番号３２に示すアミノ酸配列をコードするヌクレオチドの配列；および
配列番号１５、配列番号３０または配列番号３１に示すヌクレオチドの配列と高ストリンジェンシー下でハイブリダイズするヌクレオチドの配列；
からなる群から選択されるか；またはそれらと少なくとも８０％ヌクレオチド配列同一性を有する、Renilla mulleri、PtilosarcusまたはGaussiaによりコードされるタンパク質である、単離核酸フラグメント。
【請求項３２】  Renilla種がRenilla reniformis、Renilla kollokeriおよびRenilla mulleriからなる群から選択される、請求項３１記載の単離核酸フラグメント。
【請求項３３】  核酸がＤＮＡである、請求項３１記載の単離核酸フラグメント。
【請求項３４】  核酸がＲＮＡである、請求項３１記載の単離核酸フラグメント。
【請求項３５】  配列番号１５、配列番号３０または配列番号３１のヌクレオチド配列から選択される少なくとも１４連続配列を含む、核酸プローブまたはプライマー。
【請求項３６】  配列番号１５、配列番号３０または配列番号３１のヌクレオチド配列から選択される少なくとも１６連続ヌクレオチドを含む、請求項３５記載の核酸プローブまたはプライマー。
【請求項３７】  配列番号１５、配列番号３０または配列番号３１のヌクレオチド配列から選択される少なくとも３０連続ヌクレオチドを含む、請求項３５記載の核酸プローブまたはプライマー。
【請求項３８】  請求項３１記載のヌクレオチドの配列を含む、プラスミド。
【請求項３９】  請求項３８記載のプラスミド；
プロモーターエレメント；
核酸挿入のための複数個のクローニング部位；および
選択可能マーカー：
を含み、複数個のクローニング部位をコードする核酸はプロモーターエレメントと緑色蛍光タンパク質をコードする核酸の間に位置し、緑色蛍光タンパク質をコードする核酸はプロモーターエレメントに操作的に結合している、発現ベクター。
【請求項４０】  プロモーターエレメント；
選択可能マーカー
をコードするヌクレオチドの配列を更に含み、緑色蛍光タンパク質をコードするヌクレオチドの配列がプロモーターエレメントと操作的に結合し、それにより緑色蛍光タンパク質が発現させる、請求項３８記載のプラスミド。
【請求項４１】  更にルシフェラーゼをコードするヌクレオチドの配列を含む、請求項４０記載のプラスミド。
【請求項４２】  請求項３８記載のプラスミドを含む、組換え宿主細胞。
【請求項４３】  細胞が細菌細胞、酵母細胞、真菌細胞、植物細胞、昆虫細胞および動物細胞からなる群から選択される、請求項４２記載の細胞。
【請求項４４】  ヌクレオチドの配列が、
配列番号１５、配列番号３０または配列番号３１に示すヌクレオチドの配列；
配列番号１６または配列番号３２に示すアミノ酸配列をコードするヌクレオチドの配列；および
配列番号１５、配列番号３０または配列番号３１に示すヌクレオチドの配列と高ストリンジェンシー下でハイブリダイズするヌクレオチドの配列から選択されるか；またはそれらと少なくとも８０％ヌクレオチド配列同一性を有する、Renilla mulleri、PtilosarcusまたはGaussiaによりコードされるタンパク質である、単離された実質的に純粋なRenilla mulleri緑色蛍光タンパク質(GFP)またはPtolisarcus GFP。
【請求項４５】  請求項４４記載の緑色蛍光タンパク質を含む、組成物。
【請求項４６】  更に生物発光生成システムの少なくとも一つの成分を含む、請求項４５記載の組成物。
【請求項４７】  生物発光生成システムが：昆虫システム、腔腸動物システム、有櫛動物システム、細菌システム、軟体動物システム、甲殻綱システム、魚システム、環形動物システムおよびアースワームシステム単離されたものから選択される、請求項４６記載の組成物。
【請求項４８】  生物発光生成システムが：ホタル、Mnemiopsis、Beroe ovata、Aequorea、Obelia、Vargula、Pelagia、Renilla、Pholas Aristostomias、Pachystomias、Porichys、Cypridina、Aristostomia、このようなPachystomias、Malacosteus、Gonadostomias、Gaussia、Watensia、Halisturia、Vampire squid、Glyphus、Mycotophids、Vinciguerria、Howella、Florenciella、Chaudiodus、Melanocostus、ウミエラ、Chiroteuthis、Eucleoteuthis、Onychoteuthis、Watasenia、イカ、Sepiolina、Oplophorus、Acanthophyra、Sergestes、Gnathophausia、Argyropelecus、Yarella、Diaphus、GonadostomiasおよびNeoscopelusから単離されたものから選択される、請求項４６記載の組成物。
【請求項４９】  生物発光生成システムがAequorea、Obelia、VargulaおよびRenillaから単離されたものから選択される、請求項４８記載の組成物。
【請求項５０】  製造品；および
配列番号１５、配列番号３０または配列番号３１に示すヌクレオチドの配列；
配列番号１６または配列番号３２に示すアミノ酸配列をコードするヌクレオチドの配列；および
配列番号１５、配列番号３０または配列番号３１に示すヌクレオチドの配列と高ストリンジェンシー下でハイブリダイズするヌクレオチドの配列からなる群から選択されるヌクレオチドの配列か；またはそれらと少なくとも８０％ヌクレオチド配列同一性を有する、Renilla mulleri、PtilosarcusまたはGaussiaによりコードされるタンパク質を含む、RenillaまたはPtilosarcus緑色蛍光タンパク質(GFP)を含む、組合わせ。
【請求項５１】  更に本組合わせを新規品目とする、少なくとも一つの生物発光生成システムの成分を含む、請求項５０記載の組合わせ。
【請求項５２】  組合わせがルシフェラーゼを含む、請求項５１記載の組合わせ。
【請求項５３】  組合わせがルシフェリンを含む、請求項５１記載の組合わせ。
【請求項５４】  組合わせがルシフェリンおよびルシフェラーゼを含む、請求項５１記載の組合わせ。
【請求項５５】  製造品が玩具、噴水、パーソナル・ケア・アイテム、化粧品、フェアリー・ダスト、飲料、ソフトドリンク、食物、織物製品、泡、風船、パーソナル・アイテム、磨歯剤、石鹸、ボディーペイント、泡ぶろ、インクおよび紙製品から選択される、請求項５０記載の組合わせ。
【請求項５６】  玩具の銃である、請求項５５記載の組合わせ。
【請求項５７】  食物である、請求項５５記載の組合わせ。
【請求項５８】  化粧品である、請求項５５記載の組合わせ。
【請求項５９】  飲料である、請求項５５記載の組合わせ。
【請求項６０】  製造品が水鉄砲、空気銃、フィンガーペイント、フット・バッグ、粘液性玩具、衣類、泡形成玩具、入浴剤、ボディーローション、ゲル、ボディーパウダー、ボディークリーム、練り歯みがき、含嗽剤、石鹸、ボディーペイント、泡ぶろ、インク、包装紙、ゼラチン、アイシング、フロスティング、ビール、ワイン、シャンペン、ソフトドリンク、角氷、氷、ドライアイスおよび噴水から選択される、請求項５０記載の組合わせ。
【請求項６１】  玩具の銃である、請求項６０記載の組合わせ。
【請求項６２】  食物である、請求項６０記載の組合わせ。
【請求項６３】  化粧品である、請求項６０記載の組合わせ。
【請求項６４】  飲料である、請求項６０記載の組合わせ。
【請求項６５】  請求項１記載のRenilla mulleriルシフェラーゼ、GaussiaルシフェラーゼまたはPleuromammaルシフェラーゼと免疫特異的に結合する抗体または、結合ドメインを含む該抗体のフラグメントまたは誘導体。
【請求項６６】  モノクローナル抗体である、請求項６５記載の抗体。
【請求項６７】  請求項３１記載のRenilla緑色蛍光タンパク質(GFP)またはPtilosarcus GFPと免疫特異的に結合する抗体または、結合ドメインを含む該抗体のフラグメントまたは誘導体。
【請求項６８】  Renilla GFPがRenilla reniformis、Renilla kollokeriまたはRenilla mulleri GFPである、請求項６７記載の抗体。
【請求項６９】  モノクローナル抗体である、請求項６７記載の抗体。
【請求項７０】  請求項１記載のルシフェラーゼをコードするヌクレオチド配列および／または請求項３１記載のPtilosarcus緑色蛍光タンパク質(GFP)またはRenilla緑色蛍光タンパク質(GFP)をコードするヌクレオチド配列を含む、核酸構築物。
【請求項７１】  ルシフェラーゼがRenilla mulleriルシフェラーゼ、GaussiaルシフェラーゼまたはPleuromammaルシフェラーゼである、請求項７０記載の核酸構築物。
【請求項７２】  GaussiaルシフェラーゼがGaussia princepesルシフェラーゼである、請求項７１記載の核酸構築物。
【請求項７３】  GFPがRenilla mulleri GFPである、請求項７０記載の核酸構築物。
【請求項７４】  Renilla GFPがRenilla reniformis、Renilla kollokeriまたはRenilla mulleri GFPである、請求項７３記載の核酸構築物。
【請求項７５】  ルシフェラーゼおよびGFPがRenilla由来のものである、請求項７０記載の核酸構築物。
【請求項７６】  RenillaルシフェラーゼおよびGFPがRenilla mulleri由来のものである、請求項７５記載の核酸構築物。
【請求項７７】  ルシフェラーゼおよびGFPをコードするヌクレオチド配列が隣接して結合している、請求項７０記載の核酸構築物。
【請求項７８】  ＤＮＡである、請求項７０記載の核酸構築物。
【請求項７９】  ＲＮＡである、請求項７０記載の核酸構築物。
【請求項８０】  請求項７０記載の核酸を含む、プラスミド。
【請求項８１】  プロモーターエレメント；
選択可能マーカー；
をコードするヌクレオチドの配列を更に含み、ルシフェラーゼおよびGFPをコードする核酸はプロモーターエレメントに操作的に結合しており、それによりルシフェラーゼおよびGFPが発現される、請求項８０記載のプラスミド。
【請求項８２】  請求項８０記載のプラスミドを含む、組換え宿主細胞。
【請求項８３】  細胞が細菌細胞、酵母細胞、真菌細胞、植物細胞、昆虫細胞および動物細胞からなる群から選択される、請求項８２記載の細胞。
【請求項８４】  請求項１記載の単離された実質的に純粋なルシフェラーゼおよびGFP融合タンパク質。
【請求項８５】  ルシフェラーゼおよびGFPがRenilla由来である、請求項８４記載の融合タンパク質。
【請求項８６】  RenillaルシフェラーゼおよびGFPがRenilla mulleri由来である、請求項８５記載の融合タンパク質。
【請求項８７】  請求項８４記載の融合タンパク質を含む、組成物。
【請求項８８】  更に生物発光生成システムの少なくとも一つの成分を含む、請求項８７記載の組成物。
【請求項８９】  生物発光生成システムの成分がルシフェリンである、請求項８８記載の組成物。
【請求項９０】  ルシフェラーゼおよびGFPをコードするヌクレオチド配列が隣接していない、請求項７０記載の核酸構築物。
【請求項９１】  標的タンパク質のリガンド結合ドメインをコードするヌクレオチドの配列を含む、請求項９０記載の核酸構築物。
【請求項９２】  配列番号１６に示すアミノ酸５１から６８、８２から９８および１９８から２０８、配列番号２４に示すアミノ酸配列、配列番号２５に示すアミノ酸９−２０または配列番号２７に示すアミノ酸３９−５３に基づいて、少なくとも１４ヌクレオチド、好ましくは１６から３０ヌクレオチドを含む、核酸プローブまたはプライマー。
【請求項９３】  アミノ酸の配列をコードする配列番号１５記載の核酸配列を含む、請求項９２記載のプローブまたはプライマー。
【請求項９４】  請求項９２記載の一つのプローブまたは複数のプローブでのRenilla核酸ライブラリーのスクリーニング；および
GFPをコードする核酸の同定および単離
を含む、Renilla緑色蛍光タンパク質(GFP)をコードする核酸の単離法。
【請求項９５】  請求項９２記載の一つのプライマーまたは複数のプライマーでのRenilla核酸ライブラリーの増幅；および
増幅核酸の単離し、それによりGFPをコードする核酸を同定および単離する
ことを含む、Renilla緑色蛍光タンパク質(GFP)をコードする核酸の単離法。
【請求項９６】  配列番号１７、１８、１９、２８および／または２９のいずれかのタンパク質と少なくとも９０％配列同一性を有するタンパク質をコードする、請求項１記載の単離核酸フラグメント。
【請求項９７】  動物細胞、細菌細胞、酵母細胞、真菌細胞、植物細胞および／または昆虫細胞における発現のために最適化されている、請求項１記載の単離核酸フラグメント。
【請求項９８】  ヒト細胞における発現のために最適化されている、請求項１記載の単離核酸フラグメント。
【請求項９９】  配列番号１７、１８、１９、２８および／または２９のいずれかのタンパク質と少なくとも９０％配列同一性を有するタンパク質をコードする、請求項１５記載の単離された実質的に純粋なGaussia、Renilla mulleriまたはPleuromammaルシフェラーゼタンパク質。
【請求項１００】  動物細胞、細菌細胞、酵母細胞、真菌細胞、植物細胞および／または昆虫細胞における発現のために最適化されている、請求項１５記載の単離された実質的に純粋なGaussia、Renilla mulleriまたはPleuromammaルシフェラーゼタンパク質。
【請求項１０１】  ヒト細胞における発現のために最適化されている、請求項１５記載の単離された実質的に純粋なGaussia、Renilla mulleriまたはPleuromammaルシフェラーゼタンパク質。
【請求項１０２】  配列番号１５、１６、３０、３１および／または３２のいずれかのタンパク質と少なくとも９０％配列同一性を有するタンパク質をコードする、請求項３１記載の単離核酸フラグメント。
【請求項１０３】  動物細胞、細菌細胞、酵母細胞、真菌細胞、植物細胞および／または昆虫細胞における発現のために最適化されている、請求項３１記載の単離核酸フラグメント。
【請求項１０４】  ヒト細胞における発現のために最適化されている、請求項３１記載の単離核酸フラグメント。
【請求項１０５】  配列番号１５、１６、３０、３１および／または３２のいずれかのタンパク質と少なくとも９０％配列同一性を有するタンパク質をコードする、請求項４４記載の単離された実質的に純粋なRenilla mulleri GFPまたはPtolisarcus GFP。
【請求項１０６】  動物細胞、細菌細胞、酵母細胞、真菌細胞、植物細胞および／または昆虫細胞における発現のために最適化されている、請求項４４記載の単離された実質的に純粋なRenilla mulleri GFPまたはPtolisarcus GFP。
【請求項１０７】  ヒト細胞における発現のために最適化されている、請求項４４記載の単離された実質的に純粋なRenilla mulleri GFPまたはPtolisarcus GFP。
【請求項１０８】  配列番号１５、１６、３０、３１および／または３２のいずれかのタンパク質と少なくとも９０％配列同一性を有するタンパク質をコードする、請求項５０記載の組合わせ。
【請求項１０９】  動物細胞、細菌細胞、酵母細胞、真菌細胞、植物細胞および／または昆虫細胞における発現のために最適化されている、請求項５０記載の組合わせ。
【請求項１１０】  ヒト細胞における発現のために最適化されている、請求項５０記載の組合わせ。
【請求項１１１】  配列番号１７、１８、１９、２８および／または２９のいずれかのタンパク質と少なくとも９０％配列同一性を有するタンパク質をコードする、請求項６５記載の抗体。
【請求項１１２】  動物細胞、細菌細胞、酵母細胞、真菌細胞、植物細胞および／または昆虫細胞における発現のために最適化されている、請求項６５記載の抗体。
【請求項１１３】  ヒト細胞における発現のために最適化されている、請求項６５記載の抗体。
【請求項１１４】  配列番号１５、１６、３０、３１および／または３２のいずれかのタンパク質と少なくとも９０％配列同一性を有するタンパク質をコードする、請求項６７記載の抗体。
【請求項１１５】  動物細胞、細菌細胞、酵母細胞、真菌細胞、植物細胞および／または昆虫細胞における発現のために最適化されている、請求項６７記載の抗体。
【請求項１１６】  ヒト細胞における発現のために最適化されている、請求項６７記載の抗体。
【請求項１１７】  配列番号１７、１８、１９、２８および／または２９のいずれかのタンパク質と少なくとも９０％配列同一性を有するタンパク質をコードする、請求項７０記載の核酸構築物。
【請求項１１８】  配列番号１５、１６、３０、３１および／または３２のいずれかのタンパク質と少なくとも９０％配列同一性を有するタンパク質をコードする、請求項７０記載の核酸構築物。
【請求項１１９】  動物細胞、細菌細胞、酵母細胞、真菌細胞、植物細胞および／または昆虫細胞における発現のために最適化されている、請求項７０記載の核酸構築物。
【請求項１２０】  ヒト細胞における発現のために最適化されている、請求項７０記載の核酸構築物。
【請求項１２１】  配列番号１７、１８、１９、２８および／または２９のいずれかのタンパク質と少なくとも９０％配列同一性を有するタンパク質をコードする、請求項８４記載の単離された実質的に純粋なルシフェラーゼ。
【請求項１２２】  動物細胞、細菌細胞、酵母細胞、真菌細胞、植物細胞および／または昆虫細胞における発現のために最適化されている、請求項８４記載の単離された実質的に純粋なルシフェラーゼ。
【請求項１２３】  ヒト細胞における発現のために最適化されている、請求項８４記載の単離された実質的に純粋なルシフェラーゼ。
【請求項１２４】  配列番号１６に示すアミノ酸５１−６８、８２−９８および１９８−２０８、配列番号２４に示すアミノ酸配列、配列番号２５に示すアミノ酸９−２０、または配列番号２７に示すアミノ酸３９−５３をコードする少なくとも１６連続ヌクレオチドを含む、請求項９２記載の核酸プローブまたはプライマー。
【請求項１２５】  配列番号１６に示すアミノ酸５１−６８、８２−９８および１９８−２０８、配列番号２４に示すアミノ酸配列、配列番号２５に示すアミノ酸９−２０、または配列番号２７に示すアミノ酸３９−５３をコードする少なくとも３０連続ヌクレオチドを含む、請求項９２記載の核酸プローブまたはプライマー。
【請求項１２６】  生物発光生成システムを含む診断キットであって、
（ａ）医薬上許容されるビヒクル中に、ルシフェラーゼまたはルシフェリンである標的薬剤と、ターゲッティング剤を含むコンジュゲートを含有する第１の組成物（ここで、該生物発光システムが一方の成分としてルシフェラーゼを、そして他方の成分としてルシフェリンを含み；該コンジュゲートは細胞表面受容体に結合し；該ターゲティング剤は細胞表面タンパク質と特的に結合する）および
（ｂ）医薬上許容されるビヒクル中に、ルシフェリンまたはルシフェラーゼを含有する第２の組成物（ここで、該組成物は第一組成物中の標的薬剤がルシフェラーゼであるならばルシフェリンを含み、第一組成物中の標的薬剤がルシフェリンであるならばルシフェラーゼを含む）：そして
（ｃ）生物発光生成システムにより産生される光のスペクトルをシフトさせるスペクトルシフターである化合物
を含む、診断キット。
【請求項１２７】  細胞表面タンパク質が腫瘍組織に見られる、請求項１２６に記載の診断キット。
【請求項１２８】  ターゲティング剤が抗体である、請求項１２６または１２７に記載の診断キット。
【請求項１２９】  抗体が腫瘍抗原に対する、請求項１２８記載の診断キット。
【請求項１３０】  ルシフェラーゼがRenilla mulleriルシフェラーゼ、PleuromammaルシフェラーゼおよびGaussiaルシフェラーゼから成る群から選択される、請求項１２６から１２９のいずれかに記載の診断キット。
【請求項１３１】  非ヒト動物の選択組織のインビボ標識方法であって、
該組織と生物発光生成システムの第一成分を含むコンジュゲートを接触させ、ここで、該第一成分はルシフェリンまたはルシフェラーゼであり；そして
次に該組織を生物発光生成システムの他の成分と接触させ、ここで該接触はインビボで行われる、方法。
【請求項１３２】  選択組織が腫瘍組織である、請求項１３１記載の方法。
【請求項１３３】  ルシフェラーゼがRenilla mulleriルシフェラーゼ、PleuromammaルシフェラーゼおよびGaussiaルシフェラーゼから成る群から選択される、請求項１３１または１３２に記載の方法。
【手続補正２】
【補正対象書類名】明細書
【補正対象項目名】０３８３
【補正方法】変更
【補正の内容】
【０３８３】
例えば、好ましい具体例においてルシフェラーゼ（または光タンパク質）と結合した標的化剤であるコンジュゲートを全身または局部投与用に処方する。残りの成分は別の局所または局部用の第２の組成物に処方する。第２の組成物は典型的には反応に加わるスペクトルシフターのような他の物質のいずれもが含まれる。第２の組成物の成分は徐放型または分解および／または血液成分との相互作用を妨げるいくつか別の様式に処方することが好ましい。